(57)【要約】      （修正有）【課題】安全性と作業能率の向上を計る電動丸鋸を提供する。【解決手段】モーターにより第１回転方向に沿って回転可能な鋸歯と、鋸歯を上方から覆う固定カバーと、非切断時に鋸歯を下方から覆い、切断時に第２回転方向に添ってスライド可能なスライドカバーと、スライドカバーを固定するスライドカバー固定機構とを備える。スライドカバーにおける第２回転方向側において固定カバーを挟むスライドカバーグリップは、軟磁性材料からなり、スライドカバー固定機構は、固定カバーにおける第２回転方向側所定位置のモーターが配設されていない側の面に配設され、スライドカバーグリップを磁力により固定するためのオン・オフ自在の電磁石又は永久磁石からなる。【選択図】図１
0003161968.tif 000002
【実用新案登録請求の範囲】
【請求項１】
モーター１０７により所定の第１回転方向Ａに沿って回転可能な鋸歯１０１と、
前記鋸歯１０１を上方から覆う固定カバー１０５と、
非切断時に前記鋸歯１０１を下方から覆い、切断時に前記第１回転方向とは逆の第２回転方向Ｂ１に添ってスライド可能なスライドカバー１０２と、
前記鋸歯１０１のうち切断に用いる部分が露出することとなる回転位置で前記スライドカバー１０２を固定するスライドカバー固定機構１０６，１１６とを備えることを特徴とする電動丸鋸１００，１２０。
【請求項２】
請求項１に記載の電動丸鋸１００，１２０において、
前記スライドカバー１０２における前記第２回転方向Ｂ１側所定位置において前記固定カバー１０５を挟むようにして配設されるスライドカバーグリップ１０３は、軟磁性材料からなり、
前記スライドカバー固定機構１０６，１１６は、前記固定カバー１０５における前記第２回転方向Ｂ１側所定位置の前記モーター１０７が配設されていない側の面に配設され、前記スライドカバーグリップ１０３を磁力により固定するためのオン・オフ自在の電磁石１０６からなることを特徴とする電動丸鋸１００。
【請求項３】
請求項２に記載の電動丸鋸１００において、
前記モーター１０７を駆動するためのスイッチ１０４を２段式とし、前記スイッチ１０４を軽く握ると前記電磁石１０６がオンとなり、前記スイッチ１０４を強く握ると前記モーター１０７がオンとなり、再度前記スイッチ１０４を強く握ると前記モーター１０７及び前記電磁石１０６がオフとなることを特徴とする電動丸鋸１００。
【請求項４】
請求項３に記載の電動丸鋸１００において、
前記固定カバー１０５と前記スライドカバー１０２との間にはコイルバネ１１０が接続され、
再度前記スイッチ１０４を強く握ることにより前記電磁石１０６がオフとなったとき、前記スライドカバー１０２は、前記コイルバネ１１０の弾性力により、前記鋸歯１０１を下方から覆う位置に復帰することを特徴とする電動丸鋸１００。
【請求項５】
請求項１に記載の電動丸鋸１００，１２０において、
前記スライドカバー１０２における前記第２回転方向Ｂ１側所定位置において前記固定カバー１０５を挟むようにして配設されるスライドカバーグリップ１０３は、軟磁性材料からなり、
前記スライドカバー固定機構１０６，１１６は、前記固定カバー１０５における前記第２回転方向Ｂ１側所定位置の前記モーター１０７が配設されていない側の面に配設され、前記スライドカバーグリップ１０３を磁力により固定するための永久磁石１１６からなることを特徴とする電動丸鋸１２０。
【請求項６】
請求項５に記載の電動丸鋸１２０において、
前記固定カバー１０５と前記スライドカバー１０２との間にはコイルバネ１１０が接続され、
前記スライドカバーグリップ１０３を前記永久磁石１１６から離隔させたとき、前記スライドカバー１０２は、前記コイルバネ１１０の弾性力により、前記鋸歯１０１を下方から覆う位置に復帰することを特徴とする電動丸鋸１２０。
【考案の詳細な説明】
【技術分野】
【０００１】  本孝案は、電動丸鋸に関する。
【背景技術】
【０００２】  図５は、従来の電動丸鋸９００を説明するために示す図である。図５（ａ）は電動丸鋸９００の斜視図であり、図５（ｂ）は非切断時における電動丸鋸９００の右側面図であり、図５（ｃ）は切断時における電動丸鋸９００の右側面図である。なお、図５（ｂ）及び図５（ｃ）中、符号９１０は、固定カバー９０５と前記スライドカバー９０２との間に接続されたコイルバネ９１０を示す。コイルバネ９１０は鋸歯９０１の背面側に位置する。【０００３】  従来の電動丸鋸９００は、安全機構として、図５に示すように、鋸歯９０１を覆うスライドカバー９０２が装着されている（例えば、非特許文献１参照。）。図５（ｂ）及び図５（ｃ）に示すように、スライドカバー９０２は、鋸歯９０１の背面側（紙面裏方向）において、鋸歯９０１の回転軸に対して、鋸歯の回転に関わらず、自在に回転（以下、回転のことをスライドということもある）するように取り付けられている。固定カバー９０５とスライドカバー９０２との間には、コイルバネ９１０が掛け渡されている。【０００４】  電動丸鋸の定盤９０８を材に載せ、進行方向Ｃにスライドさせると、材がスライドカバー９０２に当たり、コイルバネ９１０の弾性に抗して、スライドカバー９０２を、Ｂ１の方向にスライドさせて鋸歯９０１を露出させる。材を切り落として、スライドカバー９０２に当たっている材がなくなると、スライドカバー９０２は、固定カバー９０５に接続されているコイルバネ９１０に引き戻され、Ｂ２の方向にスライドし、初期状態となり、鋸歯９０１を覆うようになる。
【先行技術文献】
【非特許文献】
【０００５】
【非特許文献１】株式会社シンコー製作所製電気丸鋸ＳＣＳ−１４７Ａの取り扱い説明書。
【考案の概要】
【考案が解決しようとする課題】
【０００６】  しかしながら、この装置は、材を直角に切断する場合のみ有効であり、材を斜めに切る場合、細い材を縦に引き割る場合、材の途中から切り始める場合等においては、スライドカバーグリップ９０３を手によって引きあげ、スライドカバー９０２をＢ１の方向にスライドさせ、手によって保持しながらの作業となり、材を押さえなくてはならず非常に危険である。【０００７】  非特許文献１においては、「スライドカバー９０２は、常にスムースに動くよう、切り屑などを取り除く事。」「スライドカバー９０２をスライドさせ、鋸歯９０１を剥きだしにして、スライドカバー９０２を固定しない事。」などの注意書きがなされているが、片手で電動丸鋸を持ち、片手で材を押さえての切断作業を余儀なくされるため、スライドカバーグリップ９０３を、紐などで縛って固定して鋸刃９０１を常に剥きだしにして使用する者が後を絶たない。【０００８】  従来の電動丸鋸９００においては、材を斜めに切る場合、細い材を引き割る場合、材の途中から切り始める場合等の作業は、鋸歯９０１を露出させるために、スライドカバー９０２を、Ｂ１の方向にスライドさせる。そのために、スライドカバーグリップ９０３を、片手で保持しながらの操作となり、使い勝手が悪く、非常に危険である。そこで本考案は、従来の電動丸鋸９００より使い勝手が良く、安全な電動丸鋸を提供することを目的とする。
【課題を解決するための手段】
【０００９】［１］本考案の電動丸鋸１００，１２０は、モーター１０７により所定の第１回転方向Ａに沿って回転可能な鋸歯１０１と、前記鋸歯１０１を上方から覆う固定カバー１０５と、非切断時に前記鋸歯１０１を下方から覆い、切断時に前記第１回転方向とは逆の第２回転方向Ｂ１に添ってスライド可能なスライドカバー１０２と、前記鋸歯１０１のうち切断に用いる部分が露出することとなる回転位置で前記スライドカバー１０２を固定するスライドカバー固定機構１０６，１１６とを備えることを特徴とする。【００１０】  本考案の電動丸鋸１００，１２０によれば、前記鋸歯１０１のうち切断に用いる部分が露出することとなる回転位置でスライドカバー１０２を固定するスライドカバー固定機構１０６，１１６を備えるため、材を斜めに切る場合、細い材を引き割る場合、材の途中から切り始める場合等の作業を行う場合であっても、作業者は手によってスライドカバーグリップ１０３を保持する必要がなくなる。このため、本考案の電動丸鋸１００，１２０は、従来の電動丸鋸９００より使い勝手が良く、安全な電動丸鋸となる。【００１１】［２］本考案の電動丸鋸１００，１２０においては、前記スライドカバー１０２における前記第２回転方向Ｂ１側所定位置において前記固定カバー１０５を挟むようにして配設されるスライドカバーグリップ１０３は、軟磁性材料からなり、前記スライドカバー固定機構１０６，１１６は、前記固定カバー１０５における前記第２回転方向Ｂ１側所定位置の前記モーター１０７が配設されていない側の面に配設され、前記スライドカバーグリップ１０３を磁力により固定するためのオン・オフ自在の電磁石１０６からなることが好ましい。【００１２】  このように構成することにより、スライドカバーグリップ１０３を電磁石１０６を用いて磁力により固定することが可能となり、手動にてスライドカバーグリップ１０３を電磁石１０６か永久磁石１１６へ引き寄せる、あるいは切断する材の端にて丸鋸１０１を前進させスライドカバー１０２を電磁石１０６へ引き寄せることにより、一貫した作業の流れによって、鋸歯１０１のうち切断に用いる部分が露出することとなる回転位置でスライドカバー１０２を速やかに固定することが可能となる。【００１３】［３］本考案の電動丸鋸１００においては、前記モーター１０７を駆動するためのスイッチ１０４を２段式とし、前記スイッチ１０４を軽く握ると前記電磁石１０６がオンとなり、前記スイッチ１０４を強く握ると前記モーター１０７がオンとなり、再度前記スイッチ１０４を強く握ると前記モーター１０７及び前記電磁石１０６がオフとなることが好ましい。【００１４】  このように構成することにより、スイッチ１０４を操作するだけで、電磁石１０７のオン・オフと、モーター１０７のオン・オフとを自在に切り替えることができる。【００１５】［４］本考案の電動丸鋸１００においては、前記固定カバー１０５と前記スライドカバー１０２との間にはコイルバネ１１０が接続され、再度前記スイッチ１０４を強く握ることにより前記電磁石１０６がオフとなったとき、前記スライドカバー１０２は、前記コイルバネ１１０の弾性力により、前記鋸歯１０１を下方から覆う位置に復帰することが好ましい。【００１６】  このように構成することにより、切断作業が終われば再度スイッチ１０４を強く握ることにより、電磁石１０６は磁力を失いスライドカバー１０２は固定カバー１０５に接続されたコイルバネ１１０に引っ張られ元の位置に戻ることとなる。【００１７】［５］本考案の電動丸鋸１００，１２０においては、前記スライドカバー１０２における前記第２回転方向Ｂ１側所定位置において前記固定カバー１０５を挟むようにして配設されるスライドカバーグリップ１０３は、軟磁性材料からなり、前記スライドカバー固定機構１０６，１１６は、前記固定カバー１０５における前記第２回転方向Ｂ１側所定位置の前記モーター１０７が配設されていない側の面に配設され、前記スライドカバーグリップ１０３を磁力により固定するための永久磁石１１６からなることが好ましい。【００１８】  このように構成することにより、スライドカバーグリップ１０３を永久磁石１１６を用いて磁力により固定することが可能となり、手動にてスライドカバーグリップ１０３を電磁石１０６か永久磁石１１６へ引き寄せる、あるいは切断する材の端にて丸鋸１０１を前進させスライドカバー１０２を永久磁石１１６へ引き寄せることにより、一貫した作業の流れによって、鋸歯１０１のうち切断に用いる部分が露出することとなる回転位置でスライドカバー１０２を速やかに固定することが可能となる。【００１９】［６］本考案の電動丸鋸１２０においては、前記固定カバー１０５と前記スライドカバー１０２との間にはコイルバネ１１０が接続され、前記スライドカバーグリップ１０３を前記永久磁石１１６から離隔させたとき、前記スライドカバー１０２は、前記コイルバネ１１０の弾性力により、前記鋸歯１０１を下方から覆う位置に復帰することが好ましい。【００２０】  このように構成することにより、切断作業が終われば手動でスライドカバーグリップ１０３を永久磁石１１６から離隔させることにより、スライドカバー１０２は固定カバー１０５に接続されたコイルバネ１１０に引っ張られ元の位置に戻ることとなる。【００２１】  なお、この場合、スイッチ１０４の構造はモーター１０７のスイッチのみなので、従来の電動丸鋸９００のままでよい。【００２２】  以上説明したように、本考案の電動丸鋸１００，１２０によれば、安全で迅速な作業ができるようになるため、自分の道具のみならず広く一般に用いられていくと思われる。
【図面の簡単な説明】
【００２３】
【図１】実施形態１に係る電動丸鋸１００を説明するために示す図である。
【図２】実施形態１に係る電動丸鋸１００の使用方法を示す図である。
【図３】実施形態２に係る電動丸鋸１２０を説明するために示す図である。
【図４】実施形態２に係る電動丸鋸１２０の使用方法を示す図である。
【図５】従来の電動丸鋸９００を説明するために示す図である。
【考案を実施するための形態】
【００２４】  以下本考案の電動丸鋸について図に示す実施の形態に基づいて説明する。
【００２５】［実施形態１］
図１は実施形態１に係る電動丸鋸１００を説明するために示す図である。図１（ａ）は電動丸鋸１００の斜視図であり、図１（ｂ）は非切断時における電動丸鋸１００の右側面図であり、図５（ｃ）は切断時における電動丸鋸１００の右側面図である。なお、図１（ｂ）及び図１（ｃ）中、符号１１０は  固定カバー１０５と前記スライドカバー１０２との間に接続されたコイルバネｌ１０を示す。コイルバネ１１０は鋸歯１０１の背面側に位置する。
【００２６】  図２は、実施形態１に係る電動丸鋸１００の使用方法を示す図である。図２（ａ）〜図２（ｆ）は各工程図である。
【００２７】  図２（ａ）は電動丸鋸１００の電磁石１０６を装着した初期状態を示す図であり、図２（ｂ）は電動丸鋸１００スライドカバー１０２のスライド方向Ｂ１を示す図であり、図２（ｃ）は電動丸鋸１００の電磁石１０６を作動しスライドカバーグリップ１０３を保持した図であり、図２（ｄ）は電動丸鋸１００の鋸歯１０１の回転方向を示す図であり（ハンドル１０９に内蔵されたスイッチ１０４を強く握りモーター１０７を廻し材を切断する。）、図２（ｅ）は電動丸鋸１００の材を切り終えスイッチ１０４を強く握り全電源を切ったときのスライドカバー１０２のスライド方向Ｂ２を示す図であり、図２（ｆ）は電動丸鋸１００の磁力から開放されたスライドカバー１０２が固定カバー１０５に接続されたコイルバネ１１０によりＢ２の方向に戻り初期状態となった図である。
【００２８】  スライドカバーグリップ１０３を、鉄製とし、本体のハンドル１０９の引き金式スイッチ１０４を二段式にして、一段目を軽く握ると、電磁石１０６が働き、強く握るとモーター１０７により、鋸歯１０１が廻る構造とする。スイッチ１０４を切ると，電磁石１０６の電源も切れる構造とし、磁力から開放されたスライドカバー１０２は、固定カバー１０５に接続されたコイルバネ１１０によって，Ｂ２の方向に戻り、初期状態となり、鋸歯１０１を覆う特徴を有する。
【００２９】［実施形態２］
図３は、実施形態２に係る、電動丸鋸１２０を、説明するために示す図である。図３（ａ）は電動丸鋸１２０の斜視図であり、図３（ｂ）は非切断時における電動丸鋸１２０の右側面図であり、図３（ｃ）は切断時における電動丸鋸１２０の右側面図である。なお、図３（ｂ）及び図３（ｃ）中、符号１１０は  固定カバー１０５と前記スライドカバー１０２との間に接続されたコイルバネ１１０を示す。コイルバネ１１０は鋸歯１０１の背面側に位置する。
【００３０】  図４は、実施形態２に係る電動丸鋸１２０の使用方法を示す図である。図４（ａ）〜図４（ｆ）は各工程図である。
【００３１】  図４（ａ）は電動丸鋸１２０の永久磁石１１６を装着した初期状態を示す図であり、図４（ｂ）は電動丸鋸１２０のスライドカバー１０２のスライド方向Ｂ１を示す図であり、図４（ｃ）は電動丸鋸１２０のスライドカバーグリップ１０３を永久磁石１１６に引き寄せ保持した図であり、図４（ｄ）は電動丸鋸１２０の鋸歯１０１の回転方向を示す図であり、図４（ｅ）は電動丸鋸１２０のスイッチ１０４を再度握りモーター１０７を止めた図であり（スイッチ１０４の構造はモーター１０７のオン・オフのみなので従来のままでよい。）、図４（ｆ）は電動丸鋸１２０の手動でスライドカバーグリップ１０３を永久磁石１１６から離隔し、スライドカバー１０２が元の位置Ｂ２の方向に戻り初期状態となった図である。
【００３２】  スライドカバー９０２の、グリップ９０３を鉄製とし、永久磁石９０６にて保持させる。
【００３３】  鋸歯９０１を、覆っているスライドカバー９０２をスライドさせ、鋸歯９０１を切断時のみ、一時的に露出させるための保持ができ、安全、迅速な操作ができるスライドカバー保持装置を有する電動丸鋸を、提供することを目的とする。
【００３４】  スイドカバー１０２を引き上げて保持し、片手をスライドカバーグリップ１０３の保持に、費やすことなく、安全性を増した電動丸鋸を、提供することができる。
【符号の説明】
【００３５】１０１，９０１  鋸歯
１０２，９０２  スライドカバー
１０３，９０３  スライドカバーグリップ
１０４，９０４  スイッチ
１０５，９０５  本体固定カバー
１０６  電磁石
１１６  永久磁石
１０７，９０７  モーター
１０８，９０８  定盤
１０９，９０９  ハンドル
１１０，９１０  コイルバネ
Ｂ１    切断時にスライドカバーがスライドする方向
Ｂ２    切断終了後にスライドカバーがスライドする方向
Ａ      鋸刃の回転方向
Ｃ      電動丸鋸の進行方向
【図１】
0003161968.tif 000003
【図２】
0003161968.tif 000004
【図３】
0003161968.tif 000005
【図４】
0003161968.tif 000006
【図５】
0003161968.tif 000007
【手続補正書】
【提出日】平成22年5月25日(2010.5.25)
【手続補正１】
【補正対象書類名】実用新案登録請求の範囲
【補正対象項目名】全文
【補正方法】変更
【補正の内容】
【実用新案登録請求の範囲】
【請求項１】
モーターにより所定の第１回転方向に沿って回転可能な鋸歯と、
前記鋸歯を上方から覆う固定カバーと、
非切断時に前記鋸歯を下方から覆い、切断時に前記第１回転方向とは逆の第２回転方向に添ってスライド可能なスライドカバーと、
前記鋸歯のうち切断に用いる部分が露出することとなる回転位置で前記スライドカバーを固定するスライドカバー固定機構とを備えることを特徴とする電動丸鋸。
【請求項２】
請求項１に記載の電動丸鋸において、
前記スライドカバーにおける前記第２回転方向側所定位置において前記固定カバーを挟むようにして配設されるスライドカバーグリップは、軟磁性材料からなり、
前記スライドカバー固定機構は、前記固定カバーにおける前記第２回転方向側所定位置の前記モーターが配設されていない側の面に配設され、前記スライドカバーグリップを磁力により固定するためのオン・オフ自在の電磁石からなることを特徴とする電動丸鋸。
【請求項３】
請求項２に記載の電動丸鋸において、
前記モーターを駆動するためのスイッチを２段式とし、前記スイッチを軽く握ると前記電磁石がオンとなり、前記スイッチを強く握ると前記モーターがオンとなり、再度前記スイッチを強く握ると前記モーター及び前記電磁石がオフとなることを特徴とする電動丸鋸。
【請求項４】
請求項３に記載の電動丸鋸において、
前記固定カバーと前記スライドカバーとの間にはコイルバネが接続され、
再度前記スイッチを強く握ることにより前記電磁石がオフとなったとき、前記スライドカバーは、前記コイルバネの弾性力により、前記鋸歯を下方から覆う位置に復帰することを特徴とする電動丸鋸。
【請求項５】
請求項１に記載の電動丸鋸において、
前記スライドカバーにおける前記第２回転方向側所定位置において前記固定カバーを挟むようにして配設されるスライドカバーグリップは、軟磁性材料からなり、
前記スライドカバー固定機構は、前記固定カバーにおける前記第２回転方向側所定位置の前記モーターが配設されていない側の面に配設され、前記スライドカバーグリップを磁力により固定するための永久磁石からなることを特徴とする電動丸鋸。
【請求項６】
請求項５に記載の電動丸鋸において、
前記固定カバーと前記スライドカバーとの間にはコイルバネが接続され、
前記スライドカバーグリップを前記永久磁石から離隔させたとき、前記スライドカバーは、前記コイルバネの弾性力により、前記鋸歯を下方から覆う位置に復帰することを特徴とする電動丸鋸。